(57)【特許請求の範囲】
【請求項１】
巻線用のスロットを形成した一対の極部とを備える界磁鉄心と、前記極部に巻かれた巻線を有する界磁組立体と、略毎分３００００〜４００００回転の回転速度で回転する電機子を具備する２極の整流子電動機において、前記電機子を構成する電機子鉄心の電気鉄板の材質を前記界磁鉄心の材質よりケイ素量を多くし低鉄損とするとともに、界磁鉄心はヨーク部で分割され、その両端に形成された接合部により接合されていることを特徴とする２極の整流子電動機。
【請求項２】
極部の先端と略同じ長さとなる位置で分割、接合されていることを特徴とする請求項１に記載の２極の整流子電動機。
【発明の詳細な説明】
【０００１】
【産業上の利用分野】
本発明は、電気掃除機や電動工具などに使われている２極の整流子電動機に関するものである。
【０００２】
【従来の技術】
図７は従来の界磁組立体の正面図である図７において、９は界磁鉄心であり複数枚の電気鉄板が積層されている。界磁鉄心９には巻枠１０を絶縁物として界磁巻線１１が巻線されている。
【０００３】
図８は従来の巻線方法の正面図である。１２は界磁鉄心９に巻線をほどこす際に界磁巻線１１を供給するノズルである。２本のノズル１２，１２からは２本の界磁巻線１１，１１が供給されており、２本のノズル１２，１２が界磁鉄心９の内側を図８の紙面貫通方向に上側へ移動し、１８０度回転し、紙面貫通方向下側へ移動し、逆方向に１８０度回転してコイルの１ターンを達成し、このターンを繰り返すとともに、巻線を施す時に巻線１１をスロット１４へ導くための各ガイド１３により上記各ノズル１２から供給された界磁巻線１１を各スロット１４に導きながら２極同時に巻線作業を行う。ただし、図７，図８において同一部分については同一符号を付してある。
【０００４】
【発明が解決しようとする課題】
しかしながら、電気掃除機用整流子電動機のように毎分約３００００〜４００００回転程度の高回転数になると、界磁鉄損に比べ電機子鉄損の占める割合が大きくなる。そこで、電機子鉄損を低減させるため、電機子の材質としては、材質グレードの高い電気鉄板（例えばケイ素の量を多くした鉄板）を用いている。しかしながら、通常、打ち抜きの際のクズ２８を少なくするため、図５に示すように、電機子鉄心２６と界磁鉄心２７は同一材質の電気鉄板３７より同時に打ち抜くようにしているため、界磁鉄損は比較的少ないにも関わらず界磁鉄心２７には必要のない材質グレードの高い電気鉄板、すなわち、例えばケイ素の量を多くした鉄板を用いている。材料費低減のため界磁鉄心２７の電気鉄板３９のみ材質グレードを下げるため、図６の（Ａ）に示すように、別の材質の電気鉄板３９より界磁鉄心２７を打ち抜くようにしても、その際のクズ３８が多くなる一方、図６の（Ｂ）に示すように、電機子鉄心２６を電気鉄板４０より打ち抜くときのクズ３８も多くなるという課題があった。
【０００５】
本発明は、毎分約３００００〜４００００回転程度の高回転数になると、界磁鉄損に比べ電機子鉄損の占める割合が大きくなることに基づきなされたものであり、毎分約３００００〜４００００回転程度の高回転数の２極の整流子電動機において、電動機効率の低下を少なくしながら界磁鉄心と電動機鉄心とを別々の最適の電気鉄板より打ち抜くようにしても、それぞれの電気鉄板より効率よく界磁鉄心と電機子鉄心とを打ち抜くことができ、界磁鉄心のクズの量が増加することがないようにすることを目的とする。
【０００６】
【課題を解決するための手段】
この目的を達成するために本発明は以下のように構成している。
【０００７】
請求項１にかかる本発明の２極の整流子電動機は、巻線用のスロットを形成した一対の極部とを備える界磁鉄心と、前記極部に巻かれた巻線を有する界磁組立体と、略毎分３００００〜４００００回転の回転速度で回転する電機子を具備するものであって、前記電機子を構成する電機子鉄心の電気鉄板の材質を前記界磁鉄心の材質よりケイ素量を多くし低鉄損とするとともに、界磁鉄心はヨーク部で分割され、その両端に形成された接合部により接合するように構成している。
【０００８】
請求項２にかかる本発明の２極の整流子電動機は、請求項１において、極部の先端と略同じ長さとなる位置で分割、接合されるように構成している。
【０００９】
【作用】
上記請求項１にかかる本発明の２極の整流子電動機によれば、鉄心を打ち抜いた際のクズを増やすことなく界磁鉄心と電機子鉄心とを最適の電気鉄板より別々に打ち抜くことができる。なお、鉄損の小さい界磁鉄心の電気鉄板の材質グレードを下げることも可能で、電動機効率の低下を少なくしながら材料費を低減することができる。
【００１０】
【実施例】
以下、本発明の一実施例について図面を参照しながら説明する。
【００１１】
図１は本発明の一実施例にかかる界磁組立体の正面図である。図１において、１は複数枚の電気鉄板を積層した分割鉄心のヨーク部であり、２は複数枚の電気鉄板を積層した分割鉄心の極部である。各ヨーク部１の各端部には鍵型の接合部１ａを有し、各極部２の各端部には上記ヨーク部１の接合部１ａに対応した鍵型の接合部２ａを有しており、各ヨーク部１の各接合部１ａに各極部２の各接合部２ａを圧入固定して接合部組付部３を構成している。４は巻枠５を絶縁体として極部２に巻線されている界磁巻線である。
【００１２】
よって、本実施例の界磁組立体は、上記ヨーク部１を一対備え、上記極部２を一対備えるとともに、組立前に各極部２の巻枠５の回りに巻線４を巻き付けたのち、各ヨーク部１の接合部１ａと各極部２の接合部２ａとを圧入固定してなる接合部組付部３により、各ヨーク部１と各極部２とを連結して構成している。本実施例では、接合部組付部３を各極部２及び各ヨーク部１の中心に対してそれぞれ左右非対称とすることでヨーク部１と極部２との裏表のいずれか一方でのみしか積層できないようにし、ヨーク部１と極部２との圧入時の寸法ばらつきを少なくしている。
【００１３】
しかしながら、本実施例とは別の実施例において、界磁鉄心の打ち抜き時に、鉄心の積厚を測定し、層別に組み立てるといった方法を採る場合には、ヨーク部の表裏に関係無く組み立てを行った場合でもバラツキを少なくすることができるため、上記接合部組付部３の形状を左右非対称とすることもなく、種々の形状とすることが可能となる。
【００１４】
図２は本発明の一実施例にかかる界磁巻線方法を説明するための説明図である。図２において、６は界磁巻線を供給するためのフライヤーであり、界磁組立体の組立前で極部２の両端にヨーク部１が無い状態で、フライヤー６が極部２の巻枠５の回りを回転し、巻線を施す時に巻線４をスロット８へ導くためのガイド７により界磁巻線４が極部２のスロット８の内部に導かれながら巻枠５の回りに巻線される。ただし、図１，図２において同一部分については同一符号を付してある。上記ガイド７は、通常、鉄より構成され、巻線に傷がつかないように表面を研磨している。
【００１５】
以上のように本実施例では、２極の整流子電動機の界磁鉄心を、鍵型の接合部１ａを各端部に有するヨーク部１を一対備え、該ヨーク部１との接合が可能な鍵型の接合部２ａを各端部に有し、巻線４を収納するためのスロット８を形成する極部２を一対備えて、一対のヨーク部１，１と一対の極部２，２とに４分割した構成としている。このような構成において、上記したように、各極部２に鉄心の外周よりフライヤー６にて巻線をほどこした後、一対のヨーク部１，１と一対の極部２，２とを接合部１ａ，…，１ａ，２ａ，…，２ａで圧入固定して界磁組立体を組み立てるようにしている。
【００１６】
ここで、従来は、界磁鉄心は分割されていなかったため、板材より四角枠状の界磁鉄心をそのまま打ち抜くことになり、図６の（Ａ）に斜線で示す部分３８がクズとなり、多量のクズが発生していた。従って、クズの量を減少させるための１つの方法として、図５に示すように、同一材質の電気鉄板３７より界磁鉄心２７と電機子鉄心２６とを打ち抜くようにし、かつ、そのとき界磁鉄心２７の内側で電気子鉄心２６を打ち抜くことにより、クズ２８の量を減少させるようにしていた。これに対して、本実施例では、図４の（Ａ）及び（Ｂ）に示すように、界磁鉄心を４分割した部品より構成するため、界磁鉄心のヨーク部１と極部２とを電気鉄板より打ち抜くとき、界磁鉄心用電気鉄板において４分割した部品を種々組み合わせてクズの量が最小限になるように配置して打ち抜くことによって、電気鉄板より界磁鉄心を打ち抜いたときのクズ３０の量を大きく減少させることができる。これに伴い、電機子鉄心の打ち抜き用素材３２を電機子鉄心用電気鉄板において自由に配置して打ち抜き時のクズ３１を減少させることができる。さらに、界磁鉄心を４分割体として自由に配置させることによりクズの量の減少を図ることができるので、図４に示すように、界磁鉄心と電機子鉄心との材質を異ならせて、それぞれの電気鉄板より効率よく界磁鉄心と電機子鉄心とを打ち抜くことができ、鉄損の小さい界磁鉄心の電気鉄板を電機子鉄心の電気鉄板より安くグレードの低い材質のものにすることができ、電動機の効率の低下を少なくしながら、材料費を低減させることができる。
【００１７】
また、このように４つに分割された界磁鉄心の極部２に巻線作業を行うとき、ヨーク部１が極部２の両端に無い状態、即ち、界磁組立体の組立前の状態で行うことができ、巻線作業時にヨーク部１が巻線作業の邪魔にならず、フライヤー６の回転だけで極部２に対する巻線作業が行えるため、巻線作業を高速度化することができて工数低減を図ることができるとともに、安価な巻線設備による自動巻線が可能となる。本実施例では、線径にもよるが、例えば、従来では毎分約４００回転であるのに対して毎分約１５００〜２０００回転まで高速度化させることができる。ここで、極部２の各端部の接合部２ａの先端が極部２の先端２ｂより大きく突出したり、又は、極部２の接合部２ａにヨーク部１が結合されてヨーク部１の先端が極部２の先端２ｂより大きく突出していると、巻線作業時にフライヤー６の回転の妨げとなり、高速巻線作業が困難になる。従って、極部２の各接合部２ａにはヨーク部１を接合させず、かつ、該接合部２ａが極部２の先端２ｂより大きく突出しないようにするのが好ましいが、スロット８のスペースをある程度確保するためには極部２の接合部２ａにはある程度の長さが必要となる。そこで、本実施例では、図１に示すように、極部２の接合部２ａの長さは、極部２の先端２ｂと大略同じ長さとなるようにしている。また、ヨーク部１，１が極部２の両端に無い状態で巻線を巻くことにより巻線作業の高速化を図るため、界磁組立体は、２つの極部２，２と２つのヨーク部１，１との４分割にすることが必要となる。
【００１８】
また、従来は、極部２への巻線作業時に極部２の両端にヨーク部１が存在するため、巻線の径の太さに制限（例えばボビン巻きの場合には線径０．６５ｍｍが限界）があったが、本実施例では、極部２への巻線作業時に極部２の両端にヨーク部１が無いため、巻線の径を従来よりも太くすることができる。例えば、本実施例では、例えば線径１．２ｍｍまで大きくすることができる。
【００１９】
上記極部２の接合部２ａとヨーク部１の接合部１ａの形状は、図１に示されたものに限定されるものではなく、例えば、図３に示すようなものでもよい。この図３では、界磁鉄心は、２つの極部２２，２２、２つのヨーク部２１，２１、巻枠２５，２５とを備えている。上記極部２２の接合部２２ａは極部２２の端部の中央部より突出した形状であり、上記ヨーク部２１の接合部２１ａは、上記突出した接合部２２ａを圧入固定するアリ溝形状より構成されている。なお、図３には、界磁鉄心の中央に電動機鉄心２６を配置した状態を示しており、２８は巻き線用のスロットである。この図３において、上記ヨーク部２１の接合部２１ａはヨーク部２１の端部の中央部より突出した形状であり、上記極部２２の接合部２２ａは、上記突出した接合部２１ａを圧入固定するアリ溝形状より構成するようにしてもよい。また、両接合部２１ａ，２２ａは、これ以外の任意の形状に構成してもよい。
【００２０】
【発明の効果】
以上のように、界磁鉄心の分割されたそれぞれの部品をクズの量が少なくなるように自由に組み合わせて配置したのち打ち抜くことができて、クズの量を大きく減少させることができるため、界磁鉄心と電機子鉄心とを別の材質の電気鉄板より打ち抜くようにしても、さほどクズの量は増加することがなく、かつ、電動機効率の低下を少なくしながら各鉄心を最適の電気鉄板より打ち抜くことができる。
【図面の簡単な説明】
【図１】本発明の一実施例における界磁組立体の正面図
【図２】図１の本発明の上記実施例における界磁組立体に適用される界磁巻線方法を説明するための極部の正面図
【図３】図１の本発明の上記実施例とは異なる実施例の界磁組立体の正面図
【図４】（Ａ）は図１の界磁組立体の界磁鉄心を界磁鉄心用電気鉄板より打ち抜くときの４分割された界磁鉄心の配置例を示す図
（Ｂ）は上記界磁組立体の電機子鉄心を電機子鉄心用電気鉄板より打ち抜くときの電機子鉄心の配置例を示す図
【図５】界磁鉄心と電機子鉄心を１枚の電気鉄板より打ち抜くときの界磁鉄心と電機子鉄心の配置例を示す図
【図６】（Ａ）は界磁鉄心を界磁鉄心用電気鉄板より打ち抜くときの界磁鉄心の配置例を示す図
（Ｂ）は電機子鉄心を電機子鉄心用電気鉄板より打ち抜くときの電機子鉄心の配置例を示す図
【図７】従来例における界磁組立体の正面図
【図８】図７の従来例における界磁巻線方法を説明するための界磁組立体の正面図
【符号の説明】
１，２１  分割鉄心のヨーク部
１ａ，２１ａ  接合部
２，２２  分割鉄心の極部
２ａ，２２ａ  接合部
２ｂ  先端
３  接合部組付部
４  巻線
５，２５  巻枠
６  フライヤー
７  ガイド
８，２８  スロット
３０，３１，２８，３８  クズ
【図１】
0003550797.tif 000002
【図２】
0003550797.tif 000003
【図３】
0003550797.tif 000004
【図４】
0003550797.tif 000005
【図５】
0003550797.tif 000006
【図６】
0003550797.tif 000007
【図７】
0003550797.tif 000008
【図８】
0003550797.tif 000009